(57)【要約】【課題】  本発明は、商品を展示するための商品展示台に関するものであり、その目的とするところは、主として、リサイクル労力及びコストを軽減し、又、商品展示台本体の素材選択を広範にし、更に、様々なデザインバリエーションの構築を可能にした新規な商品展示台を提供することである。【解決手段】  商品を展示するための商品展示台であって、該商品展示台における商品展示台本体の一部ないし全部をフィルムにより覆ったことを特徴とする商品展示台。【選択図】  図５
2007244448.tif 000002
【特許請求の範囲】
【請求項１】
商品を展示するための商品展示台であって、該商品展示台における商品展示台本体の一部ないし全部をフィルムにより覆ったことを特徴とする商品展示台。
【請求項２】
フィルムが、熱収縮性フィルムである請求項１に記載の商品展示台。
【請求項３】
熱収縮性フィルムが、シュリンクフィルムである請求項２に記載の商品展示台。
【請求項４】
フィルムに対し、色彩及び／又は模様を付与してなる請求項１ないし３のいずれか１項に記載の商品展示台。
【請求項５】
更に、フィルム表面の一部ないし全部を化粧カバーで覆ってなる請求項１ないし４のいずれか１項に記載の商品展示台。
【請求項６】
商品展示台本体が、紙或いは発泡スチロールにより形成されてなる請求項１ないし５のいずれか１項に記載の商品展示台。
【発明の詳細な説明】
【技術分野】
【０００１】
本発明は、商品を展示するための商品展示台に関する。
【背景技術】
【０００２】
一般に、指輪、イヤリング、ピアス、ネックレス、ブローチ、時計その他の装身具や貴金属と称される商品などを展示販売するにあたっては、通常、商品ケースなどの大型の商品展示台内外に直接陳列したり、前記商品を個別の商品展示台に載せた状態で商品ケース内外に陳列したりするのであり、これら商品展示台としては種々の形状、構成のものが提案されている。
【０００３】
【特許文献１】実開平５−３１６２２号公報
【特許文献２】実開平６−２６６２８号公報
【特許文献３】特開平８−２１５００６号公報
【特許文献４】特開２００１−１３７０９４号公報
【特許文献５】特開２００２−５６４７１号公報
【特許文献６】特開２００２−７８５８５号公報
【０００４】
ここで、前記商品展示台は、単に商品を陳列するだけの役目にとどまらず、商品をより一層美麗且つ高級に見せる役割も担っており、そのため、通常、商品展示台の一部ないし全部は、布、皮革、合成皮革などからなる化粧カバーにより覆われ、高級感が醸し出されるようになっている。
【０００５】
そして、これら商品展示台は、商品販売店などにおける一定期間の使用の後、製造元やリサイクル業者などに返還され、化粧カバーに汚れや傷の生じたものについては、当該化粧カバーを剥がした後、新たな化粧カバーが付け替えられて、再び商品販売店に供されるといったリサイクルによる流通が一般的となっている。
【発明の開示】
【発明が解決しようとする課題】
【０００６】
しかしながら、化粧カバーは、流通や使用中によるズレや剥がれを防止するために商品展示台本体に粘着剤や接着剤などで強固に付着する必要があり、このためリサイクルにあたり当該化粧カバーを剥がす際に多大な労力が要される上、化粧カバーを剥がした商品展示台本体には粘着剤や接着剤の一部がなお強固に残存することが多く、薬品で洗浄したり、鑢や刃物で削り落としたりしなければならないといった問題があった。
【０００７】
又、化粧用カバーを剥がす際に、商品展示台本体が破損しないようにするためには、商品展示台の素材につき、比較的強度の高いプラスチックや木、ガラス或いは金属などを用いる必要があり、比較的強度の低い紙や発泡スチロールなどの軽い素材を用いることは事実上不可能であった。
【０００８】
そのため、従来の商品展示台にはリサイクルのための多大な労力や、素材の限定によるコスト高の問題、及び重い素材からなる商品展示台の運搬作業の煩雑性などの問題があった。
【０００９】
そこで、本発明者は、このような問題を解決すべく鋭意検討を重ねた結果、商品を展示するための商品展示台であって、該商品展示台における商品展示台本体の一部ないし全部をフィルムにより覆ったことを特徴とする本発明の商品展示台を完成するに至ったのである。
【００１０】
即ち、本発明者は、商品を展示するための商品展示台において、該商品展示台における商品展示台本体の一部ないし全部をフィルムにより覆えば、非常に簡単な作業で当該フィルムを剥がすことができるようになり、これよりリサイクルにあたり当該フィルムを剥がす際の労力が軽減され、又、フィルムを剥がした商品展示台本体に粘着剤や接着剤の一部が残存することがなくなるとの知見を得たのである。
【００１１】
又、フィルムを剥がす際に商品展示台本体にダメージが殆んど与えられないことから、該商品展示台本体の素材として、紙や発泡スチロールなどの比較的強度の弱い素材を用いることができ、これより商品展示台本体を形成するための素材の選択が広範になるといった知見も得たのである。
【００１２】
更に、フィルムに対して、印刷や着色などにより所望の色彩や模様を付与したり、フィルム表面を化粧カバーで覆ったりするだけで、様々なデザインバリエーションの商品展示台を得ることができるとの知見も得たのである。
【００１３】
本発明は、上記知見に基づき完成されたものであり、リサイクル労力及びコストを軽減し、又、商品展示台本体の素材選択を広範にし、更に、様々なデザインバリエーションの構築を可能にした新規な商品展示台を提供することを目的とする。
【課題を解決するための手段】
【００１４】
以上の課題を解決する手段である本発明の商品展示台は、商品を展示するための商品展示台であって、該商品展示台における商品展示台本体の一部ないし全部をフィルムにより覆ったことを特徴とする。
以下、本発明の商品展示台について詳細に説明する。
【００１５】
本発明の商品展示台は、各種商品を直接又は間接的に載せて、該商品を展示するための商品展示台であって、当該商品展示台に載せる商品については、一般的に展示販売される商品であれば特に限定されるものではないが、特に、本発明の商品展示台については、指輪、イヤリング、ピアス、ネックレス、ブローチ、時計その他の装身具や貴金属と称される商品などの、商品をより一層美麗且つ高級に見せることを目的とした商品展示台であることが好ましい。
【００１６】
又、前記商品展示台は、複数の商品を陳列する商品ケースなどの大型の商品展示台であっても、個別に商品を載せる小型の商品展示台であっても良く、その規模、形状については特に限定されるものではない。
【００１７】
なお、「商品を直接又は間接的に載せる」とは、商品を展示台上に直接置いたり、商品の種類や大きさ、形状などに応じて、展示台上に形成した切り込みや突起、挟持部などに商品を係止したり、その他の部材を適宜介在させて商品を載せることを意味するのであり、即ち、本発明の商品展示台において、展示台に商品を載せる手段については、発明の本質的部分ではなく、任意の手段を適宜選択して商品を展示台に載せればいいのである。
【００１８】
そして、本発明においては、前記商品展示台における商品展示台本体の一部ないし全部をフィルムにより覆った点に最も大きな特徴を有する。
【００１９】
即ち、本発明においては、前記商品展示台における商品展示台本体の一部ないし全部をフィルムにより覆っているから、リサイクルにあたり、非常に簡単な作業で当該フィルムを剥がすことができ、又、フィルムを剥がした商品展示台本体に粘着剤や接着剤の一部が残存することがなくなるのであり、これより、リサイクルのための労力及びコストを軽減することができるのである。
【００２０】
ここで、前記フィルムとしては、薄く、一定の強度を有するものであれば、特に限定されるものではなく、一般的には高分子フィルムが用いられるのであるが、具体的に例えば、ポリエチレン、ポリプロピレン、ナイロン、ポリエステル、ポリ塩化ビニル、ポリ塩化ビニリデン、ポリウレタン、ポリスチレン、エチレン−酢酸ビニル共重合体ケン化物、エチレン−酢酸ビニル共重合体、天然ゴム、再生ゴム、合成ゴム等をフィルム状ないしシート状に形成したものが挙げられる。
【００２１】
そして、本発明の商品展示台は、前記フィルムにより商品展示台本体の一部ないし全部を覆ったものであるが、その方法としては、特に限定されるものではなく、例えば、可塑性のフィルムを引き伸ばしながら商品展示台本体に押し当てて巻きつけたり、静電的にフィルムを商品展示台本体に付着させたりしても良いのであるが、これらの手段においては、複雑な形状の商品展示台には対応できない場合があり、又、フィルムに皺がよったり、フィルムに重なり部分が生じたりすることも多く、商品展示台の外観を損なう場合がある。
【００２２】
又、この際、フィルムの仮止め程度に少量の粘着剤や接着剤を用いても良いのであるが、積極的に粘着剤や接着剤を用いることはやはり好ましくない。
【００２３】
そこで、本発明においては、前記フィルムとして熱収縮性フィルムを用い、粘着剤や接着剤を殆んど用いることなく、熱のみにより商品展示台本体の形状に沿うようにフィルムを収縮させ、もって商品展示台本体の一部ないし全部を覆うようにすることが好ましい。
【００２４】
この熱収縮性フィルムとしては、熱を加えられることにより収縮する性質を有するものであれば特に限定されるものではないが、その代表的な例としては、一般的に「シュリンクフィルム」と称されるフィルムを挙げることができる。
【００２５】
ところで、商品展示台本体を単に無色透明のフィルムで覆った場合、フィルム越しに商品展示台本体の素材が視認できることから、商品展示台のイメージが安っぽく見え、引いては展示された商品自体の高級感を損なう場合がある。
【００２６】
そのため、本発明においては、商品展示台本体を覆うフィルムにつき、印刷や着色などにより所望の色彩及び／又は模様を付与したり、商品展示台本体を覆ったフィルムの表面を別の化粧カバーで覆ったりすることが好ましい。
【００２７】
即ち、印刷や着色などにより、例えば、金属光沢や木目調などの所望の色、質感及び柄などの色彩や模様を付与されたフィルムを用いれば、このフィルムで商品展示台を覆うだけの簡単な作業によって、商品展示台の外観を非常に洗練されたものにすることができるのであり、様々なカラーバリエーションの商品展示台を簡単に得ることができるのである。
【００２８】
又、商品展示台をフィルムで覆った後、そのフィルム表面の一部ないし全部を別の化粧カバー、例えば、布、皮革或いは人工皮革などで更に覆えば、外観上、現在流通している従来の商品展示台とほぼ同様のものを得ることができるのである。
【００２９】
なお、化粧カバーはフィルムを介在させて商品展示台本体を覆うものであり、即ち、商品展示台本体に直接付着するものではないことから、この化粧カバーを商品展示台本体を覆うフィルム上に粘着剤又は接着剤などで付着しても、これを剥がす場合にはフィルムと共に簡単に剥がしとることができるのである。
【００３０】
上述の如く、本発明の商品展示台においては、該商品展示台における商品展示台本体の一部ないし全部をフィルムにより覆っているため、非常に簡単な作業で当該フィルムを剥がすことができるのであり、これよりフィルムを剥がす際、商品展示台本体には、殆んどダメージが与えられない。
【００３１】
そのため、本発明の商品展示台における商品展示台本体の素材については、従来用いられている比較的強度の高いプラスチックや木、ガラス或いは金属以外の比較的強度の低い素材、例えば、紙や発泡スチロールなども用いることができるのであり、これより商品展示台本体の素材選択が広範になるのである。
【００３２】
そして、該商品展示台本体の素材として、紙や発泡スチロールなどの比較的軽い素材を用いることができることから、商品展示台の重量を著しく軽くすることができ、商品展示台の運搬作業の労力などを軽減することができるのである。
【発明の効果】
【００３３】
本発明は、前記構成を有し、リサイクル労力及びコストを軽減し、又、商品展示台本体の素材選択を広範にし、更に、様々なデザインバリエーションの構築を可能にした新規な商品展示台である。
【００３４】
即ち、本発明の商品展示台は、該商品展示台における商品展示台本体の一部ないし全部をフィルムにより覆っているから、非常に簡単な作業で当該フィルムを剥がすことができるようになり、これよりリサイクルにあたり当該フィルムを剥がす際の労力が軽減され、又、フィルムを剥がした商品展示台本体に粘着剤や接着剤の一部が残存することがなくなるのである。
【００３５】
又、フィルムを剥がす際に商品展示台本体にダメージが殆んど与えられないことから、該商品展示台本体の素材として、紙や発泡スチロールなどの比較的強度の弱い素材を用いることができ、これより商品展示台本体を形成するための素材の選択が広範になるのである。
【００３６】
更に、フィルムに対して、印刷や着色などにより所望の色彩や模様を付与したり、フィルム表面を化粧カバーで覆ったりするだけで、様々なデザインバリエーションの商品展示台を得ることができるのである。
【発明を実施するための最良の形態】
【００３７】
以下、本発明の実施例を説明するが、本発明はこの実施例に限定されるものではない。
【実施例１】
【００３８】
図１は、実施例１に係る本発明の商品展示台１における商品展示台本体２にフィルム３を被覆する工程を示す模式図であり、図１（ａ）は、実施例１に係る本発明の商品展示台１に用いられる商品展示台本体２、図１（ｂ）は、その商品展示台本体２にフィルム３としてのシュリンクフィルムを被せた状態、図１（ｃ）は図１（ｂ）の状態のものに熱を加えて、前記フィルム３を商品展示台本体２の表面に密着させた状態を示す模式図である。
【００３９】
そして、図１（ｄ）に示すように、本実施例に係る商品展示台１は、収縮したフィルム３の余分な部分を取り除いた後、更に商品６（指輪）を載せるための陳列台座４が上端に嵌め込まれ、当該台座４に設けられた切り込みに商品６を差し込んで展示するのである。
【００４０】
即ち、この商品展示台１は、商品展示台１における商品展示台本体２の外側面を、粘着剤や接着剤を用いることなく、フィルム３により覆ったものであり、図２に示すように、商品展示台本体２の背面に設けた溝２１に沿って、カッターなどの刃物で切込みを入れるだけで非常に簡単に当該フィルム３を剥がすことができ、フィルム３を剥がした商品展示台本体２に粘着剤や接着剤の一部が残存することがないから、リサイクルのための労力及びコストを軽減することができるのである。
【００４１】
なお、本実施例においては、商品展示台本体２が視認できるように、フィルム３としてほぼ無色透明のシュリンクフィルムを用いているが、印刷や着色などにより金属光沢や木目調或いはその他の色、質感、柄などの色彩や模様を付与されたフィルム３を用いれば、このフィルム３で商品展示台を覆うだけの簡単な作業によって、商品展示台の外観を非常に洗練されたものにすることができるのであり、様々なカラーバリエーションの商品展示台を簡単に得ることができるのである。
【実施例２】
【００４２】
図３は、実施例２に係る本発明の商品展示台１における商品展示台本体２にフィルム３を被覆する工程を示す模式図であり、図３（ａ）は、実施例２に係る本発明の商品展示台１に用いられる商品展示台本体２、図３（ｂ）は、その商品展示台本体２にフィルム３としてのシュリンクフィルムを被せた状態、図３（ｃ）は図３（ｂ）の状態のものに熱を加えて、前記フィルム３を商品展示台本体２の表面に密着させた状態を示す模式図である。
【００４３】
そして、図３（ｄ）に示すように、本実施例に係る商品展示台１は、収縮したフィルム３の余分な部分を取り除いた後、当該フィルム３の上から化粧カバー５で覆い、更に、図３（ｅ）に示すように、商品６（指輪）を載せるための陳列台座４が上端に嵌め込まれ、当該台座４に設けられた切り込みに商品６を差し込んで展示するのである。
【００４４】
即ち、この商品展示台１は、前記実施例１に係る商品展示台１の外側面を、更に、粘着剤又は接着剤などを用いて、化粧カバー５で覆ったものであり、化粧カバー５として、布、皮革或いは人工皮革などを用いれば、外観上、現在流通している従来の商品展示台とほぼ同様のものとなるのである。
【００４５】
なお、化粧カバー５はフィルム３を介在させて商品展示台本体２を覆っているから、少なくとも商品展示台本体２の外側面には直接粘着剤や接着剤が付着しておらず、従って、図４に示すように、商品展示台本体２の背面に設けた溝２１に沿って、カッターなどで切込みを入れるだけで非常に簡単に当該フィルム３及び化粧カバーを剥がすことができるのである。
【００４６】
その余は、前記実施例１とほぼ同様であることから、繰り返しを避けるため、ここでは説明を省略する。
【実施例３】
【００４７】
図５は、実施例３に係る本発明の商品展示台１における商品展示台本体２にフィルム３を被覆する工程を示す模式図であり、図５（ａ）は、実施例２に係る本発明の商品展示台１に用いられる発泡スチロールを素材とした商品展示台本体２、図５（ｂ）は、その商品展示台本体２にフィルム３としてのシュリンクフィルムを被せた状態、図５（ｃ）は図５（ｂ）の状態のものに熱を加えて、前記フィルム３を商品展示台本体２の表面に密着させた状態を示す模式図である。
【００４８】
そして、図５（ｄ）に示すように、本実施例に係る商品展示台１は、収縮したフィルム３の余分な部分を取り除いた後、当該フィルム３の上から化粧カバー５で覆い、更に、図５（ｅ）に示すように、商品６（指輪）を載せるための陳列台座４が上端に嵌め込まれ、当該台座４に設けられた切り込みに商品６を差し込んで展示するのである。
【００４９】
即ち、この商品展示台１は、商品展示台本体２を形成する素材として、発泡スチロールを用いた以外は、前記実施例２と同様のものであり、本発明の商品展示台１において、フィルム３（及び化粧カバー５）を剥がす際、商品展示台本体２には、殆んどダメージが与えられないから、このような比較的強度の低い発泡スチロールなどを商品展示台本体２の素材として用いることができるのである。
【００５０】
そして、該商品展示台本体２の素材として、発泡スチロールなどの比較的軽い素材を用いることにより、商品展示台１の重量を著しく軽くすることができ、これより、商品展示台１の運搬作業の労力などを軽減することができるのである。
【００５１】
その余は、前記実施例１及び２とほぼ同様であることから、繰り返しを避けるため、ここでは説明を省略する。
【実施例４】
【００５２】
図６は、実施例４に係る本発明の商品展示台１における商品展示台本体２にフィルム３を被覆する工程を示す模式図であり、図６（ａ）は、実施例４に係る本発明の商品展示台１に用いられる発泡スチロールを素材とした板状の商品展示台本体２、図６（ｂ）は、その商品展示台本体２にフィルム３としてのシュリンクフィルムを被せ、更に熱を加えて、前記フィルム３を商品展示台本体２の表面に密着させた状態を示す模式図である。
【００５３】
そして、図６（ｃ）に示すように、フィルム３で覆われた板状の商品展示台本体２は、当該フィルム３の上から化粧カバー５で覆われ、更に、図７に示すように、大型の商品展示台１としての商品ケース内の陳列面として用いられるのである。
【図面の簡単な説明】
【００５４】
【図１】図１は、実施例１に係る本発明の商品展示台における商品展示台本体にフィルムを被覆する工程を示す模式図である。
【図２】図２は、実施例１に係る本発明の商品展示台からフィルムを剥がす工程を示す模式図である。
【図３】図３は、実施例２に係る本発明の商品展示台における商品展示台本体にフィルム及び化粧カバーを被覆する工程を示す模式図である。
【図４】図４は、実施例２に係る本発明の商品展示台からフィルム及び化粧カバーを剥がす工程を示す模式図である。
【図５】図５は、実施例３に係る本発明の商品展示台における商品展示台本体にフィルム及び化粧カバーを被覆する工程を示す模式図である。
【図６】図６は、実施例４に係る本発明の商品展示台おける商品展示台本体にフィルム及び化粧カバーを被覆する工程を示す模式図である。
【図７】図７は、実施例４に係る本発明の商品展示台を示す模式図である。
【符号の説明】
【００５５】
１  商品展示台
２  商品展示台本体
３  フィルム
４  陳列台座
５  化粧カバー
６  商品
【図１】
2007244448.tif 000003
【図２】
2007244448.tif 000004
【図３】
2007244448.tif 000005
【図４】
2007244448.tif 000006
【図５】
2007244448.tif 000007
【図６】
2007244448.tif 000008
【図７】
2007244448.tif 000009